(57)【要約】【課題】保管上の問題を招来することなく、収容形態が異なる商品への入れ替え作業を容易に行う。【解決手段】上下に延在する背面板１０の前方域にラック２０が構成されたショーケースにおいて、ラック２０は、左右のラックブラケット２１の間にラック板２２を支持させることによって構成されたものであり、ラック板２２の下方には、商品吊下げ具３０を支持する支持部材２５が左右のラックブラケット２１の間に架け渡して設けられている。【選択図】図６
2019005140.tif 000002
【特許請求の範囲】
【請求項１】
上下に延在する背面板の前方域にラックが構成されたショーケースにおいて、
前記ラックは、左右のラックブラケットの間にラック板を支持させることによって構成されたものであり、
前記ラック板の下方には、商品吊下げ具を支持する支持部材が前記左右のラックブラケットの間に架け渡して設けられていることを特徴とするショーケース。
【請求項２】
前記支持部材は、両端部にそれぞれ上方に向けて延在する取付ブラケットを備え、前記取付ブラケットの上端部を介して前記ラックブラケットに取り付けられていることを特徴とする請求項１に記載のショーケース。
【請求項３】
前記商品吊下げ具は、商品が吊下げられるフックバーと、前記フックバーの後端部に設けられ、前記支持部材に対して着脱可能に装着される取付部とを備え、
前記左右のラックブラケットの間には、前記支持部材との間に前記フックバーを挿通可能、かつ前記取付部を挿通不可とする寸法の隙間を確保した位置に、係止部材が架設されていることを特徴とする請求項１に記載のショーケース。
【請求項４】
前記商品吊下げ具は、商品が吊下げられるフックバーと、前記フックバーの後端部に設けられ、前記支持部材に対して着脱可能に装着される取付部とを備え、
前記支持部材は、前記背面板との間に前記フックバーを挿通可能、かつ前記取付部を挿通不可とする寸法の隙間を確保した位置に配設されていることを特徴とする請求項１に記載のショーケース。
【発明の詳細な説明】
【技術分野】
【０００１】
本発明は、ショーケースに関するもので、より詳細には商品を吊下げた状態で収容することのできるショーケースに関する。
【背景技術】
【０００２】
ショーケースには、通常上下に複数段のラックが設けられており、それぞれのラックに商品が載置された状態で収容されている。しかしながら、商品には、例えば袋に梱包されたものや薄型のもの等のように起立性が良好でなく、ラックに載置するよりも吊下げた状態で収容する形態の方が好ましいものもある。
【０００３】
例えば、特許文献１には、左右の受け部材の間に左右方向に沿って支持部材を配設するとともに、支持部材から前方に向けて商品吊下げ具を備えた吊下げ装置が記載されている。この吊下げ装置を適用すれば、ショーケースにおいても商品を吊下げた状態で収容することが可能となる。吊下げ装置の商品は、商品吊下げ具に沿って手前側に引き出せば、容易に取り出すことができる。また、上述の吊下げ装置では、受け部材の位置を変更することができるため、商品の高さに応じて吊下げる位置を調整することも可能である。
【先行技術文献】
【特許文献】
【０００４】
【特許文献１】特開２０１４−１５０９５３号公報
【発明の概要】
【発明が解決しようとする課題】
【０００５】
ところで、上述したショーケースにあっては、収容形態が異なる商品への入れ替えが生じた場合、ラックを吊下げ装置に変更したり、吊下げ装置をラックに変更する作業が必要となる。しかも、使用していないラックや吊下げ装置については、別の場所に保管して置かなければならないという保管上の問題も招来する。
【０００６】
本発明は、上記実情に鑑みて、保管上の問題を招来することなく、収容形態が異なる商品への入れ替え作業を容易に行うことのできるショーケースを提供することを目的とする。
【課題を解決するための手段】
【０００７】
上記目的を達成するため、本発明に係るショーケースは、上下に延在する背面板の前方域にラックが構成されたショーケースにおいて、前記ラックは、左右のラックブラケットの間にラック板を支持させることによって構成されたものであり、前記ラック板の下方には、商品吊下げ具を支持する支持部材が前記左右のラックブラケットの間に架け渡して設けられていることを特徴とする。
【０００８】
また本発明は、上述したショーケースにおいて、前記支持部材は、両端部にそれぞれ上方に向けて延在する取付ブラケットを備え、前記取付ブラケットの上端部を介して前記ラックブラケットに取り付けられていることを特徴とする。
【０００９】
また本発明は、上述したショーケースにおいて、前記商品吊下げ具は、商品が吊下げられるフックバーと、前記フックバーの後端部に設けられ、前記支持部材に対して着脱可能に装着される取付部とを備え、前記左右のラックブラケットの間には、前記支持部材との間に前記フックバーを挿通可能、かつ前記取付部を挿通不可とする寸法の隙間を確保した位置に、係止部材が架設されていることを特徴とする。
【００１０】
また本発明は、上述したショーケースにおいて、前記商品吊下げ具は、商品が吊下げられるフックバーと、前記フックバーの後端部に設けられ、前記支持部材に対して着脱可能に装着される取付部とを備え、前記支持部材は、前記背面板との間に前記フックバーを挿通可能、かつ前記取付部を挿通不可とする寸法の隙間を確保した位置に配設されていることを特徴とする。
【発明の効果】
【００１１】
本発明によれば、ラック板の下方に支持部材を設けるようにしているため、収容形態が異なる商品への入れ替えが生じた場合にも、ラックや支持部材を取り外すことなく、それぞれに商品を収容させることが可能となる。従って、商品の入れ替え作業が容易化するばかりでなく、保管上の問題を招来することもない。
【図面の簡単な説明】
【００１２】
【図１】図１は、本発明の実施の形態であるショーケースを示す斜視図である。
【図２】図２は、図１に示したショーケースにおいてラックを取り外した状態の斜視図である。
【図３】図３は、図１に示したショーケースの上方部を示す拡大断面側面図である。
【図４】図４は、図１に示したショーケースの中間部を示す拡大断面側面図である。
【図５】図５は、図１に示したショーケースの中間部を示す拡大正面図である。
【図６】図６は、図１に示したショーケースに適用するラックを下方側から見た斜視図である。
【図７】図７は、図６に示したラックの断面側面図である。
【図８】図８は、図６に示したラックに適用する商品吊下げ具及び支持部材の分解斜視図である。
【図９】図９は、図１に示したショーケースの上方部に取り付けられる吊下げユニットを前方側から見た斜視図である。
【図１０】図１０は、図９に示した吊下げユニットを後方側から見た斜視図である。
【図１１】図１１は、図１に示したショーケースの上方部においてラックを取り外した状態の拡大正面図である。
【図１２】図１２は、本発明のショーケースに適用する商品吊下げ具の変形例１を示す分解断面側面図である。
【図１３】図１３は、本発明のショーケースに適用する商品吊下げ具の変形例２を示す要部分解斜視図である。
【図１４】図１４は、本発明のショーケースに適用する商品吊下げ具の変形例３を示す要部断面側面図である。
【発明を実施するための形態】
【００１３】
以下、添付図面を参照しながら本発明に係るショーケースの好適な実施の形態について詳細に説明する。
【００１４】
図１〜図５は、本発明の実施の形態であるショーケースを示したものである。ここで例示するショーケースは、スーパーマーケットやコンビニエンスストア等の店舗において販売商品を収容するものである。このショーケースのケース本体１には、底面部１Ａ、後面部１Ｂ及び天面部１Ｃが設けてあり、これら底面部１Ａ、後面部１Ｂ及び天面部１Ｃによって囲まれる部分に前面及び両側面が開口した商品収容域１Ｄが構成してある。図には明示していないが、ケース本体１の後面部１Ｂは、商品収容域１Ｄの背面を構成する背面板１０よりも後方となる部分に通風ダクトが構成してある。通風ダクトは、内部に図示せぬ蒸発器や送風ファンを備えたもので、送風ファンの駆動により、蒸発器を通過した後の冷却された空気を商品収容域１Ｄに供給することが可能である。図からも明らかなように、背面板１０は、上方に向けて漸次後方となるように傾斜した状態で配設してある。
【００１５】
商品収容域１Ｄには、上下に沿って複数段（図示の例では等間隔に７段）のラック２０が設けてある。それぞれのラック２０は、図６及び図７に示すように、左右のラックブラケット２１の間にラック板２２を支持させることによって構成したもので、ラックブラケット２１の後端縁部に取付爪２３を有している。これらのラック２０は、取付爪２３を背面板１０の両側部に形成した取付孔１１（図２参照）に挿入して背面板１０に係合させることにより、背面板１０の前方域に延在するように取り付けられることになる。本実施の形態では、図１及び図２に示すように、天面部１Ｃとの間に商品の収容高さに相当する距離を確保した位置を最上位として底面部１Ａまでの間に複数の取付孔１１がそれぞれ等間隔に設けてある。個々の取付孔１１は、上半部が一定の幅を有する一方、下半部が下方に向けて漸次幅が減少するように形成した異形状を成すものである。取付孔１１の最も幅の狭い部分の寸法ｄは、取付爪２３の板厚のほぼ２倍となるように構成してある。上述したように、このショーケースでは、ケース本体１の背面板１０が上方に向けて漸次後方に傾斜しているため、上方に位置するラック２０が下方に位置するラック２０に対して漸次後方側に退行する状態で複数段のラック２０が構成してある。なお、取付孔１１は、必ずしも背面板１０に直接設ける必要はなく、背面板１０の両側に支持柱体を設け、支持柱体の前面に取付孔１１を設けるようにしても良い。
【００１６】
上述した複数のラック２０のうちの少なくも１つ（本実施の形態では上から３番目のラック２０と４番目のラック２０）には、図６及び図７に示すように、左右のラックブラケット２１の間に係止部材２４及び支持部材２５がそれぞれ架け渡すように設けてある。
【００１７】
係止部材２４は、ラック板２２よりも下方、かつ後述の支持部材２５よりも上方となる部位においてラックブラケット２１の間に架け渡すように配設したものである。本実施の形態では、ラック板２２に沿って延在する基板部２４ａと、基板部２４ａの後縁部から下方に向けて略直角に屈曲した係止板部２４ｂとを有した係止部材２４を適用している。
【００１８】
支持部材２５は、図８に示すように、断面が矩形の筒状を成すもので、両端部にそれぞれ取付ブラケット２６が装着してある。取付ブラケット２６は、支持部材２５から直角方向に延在したもので、個々の延在端部が上方に位置し、かつ支持部材２５が下方に位置した状態で延在端部を介してラックブラケット２１の互いに対向する内表面に取り付けてある。支持部材２５を設ける位置は、図７に示すように、ラック板２２の下方であって、ラックブラケット２１を介してラック２０を背面板１０に取り付けた場合に背面板１０との間に距離ａ以下の隙間が確保され、かつ係止板部２４ｂの延在端部との間に距離ｂ以下の隙間が確保されるように設定してある。
【００１９】
この支持部材２５は、その長手方向に沿って複数の商品吊下げ具３０が配設してある。商品吊下げ具３０は、断面が円形のロッド状を成すフックバー３１と、フックバー３１の一端部に設けた取付部３２とを有したものである。フックバー３１は、支持部材２５からラック板２２の前端部までの間にわたる長さを有した一連の長尺部材である。取付部３２は、フックバー３１の一端部が接合される平板状の接合板部３２ａと、接合板部３２ａの前後両側縁部から互いに平行となるように延在した一対の挟持板部３２ｂとを有したものである。一対の挟持板部３２ｂの相互間距離は、支持部材２５の前後寸法よりわずかに大きく構成してある。上記の構成を有する商品吊下げ具３０は、挟持板部３２ｂの間に支持部材２５を配置させることにより、フックバー３１が前方に延在する状態で支持部材２５に対して着脱可能に取り付けることが可能である。上述した支持部材２５と背面板１０との間に確保する距離ａ及び支持部材２５と係止板部２４ｂの延在端部との間に確保する距離ｂは、商品吊下げ具３０のフックバー３１を挿通可能、かつ取付部３２を挿通不可とする値に設定してある。
【００２０】
また、このショーケースには、図１及び図３に示すように、背面板１０の上部に吊下げユニット４０が設けてある。吊下げユニット４０は、図９及び図１０に示すように、左右の支持ブラケット４１の間に２つの支持部材２５を互いに平行となる状態で架け渡して配設することにより構成したものである。
【００２１】
支持ブラケット４１は、ブラケット基部４１ａ、２つの取付板部４１ｂ，４１ｃ、補強板部４１ｄ及び複数の係合爪４１ｅを一体に成形したもので、左側に配置されるものと右側に配置されるものとで互いに対称形状となるように構成してある。ブラケット基部４１ａは、幅の狭い長尺の平板状を成す部分である。取付板部４１ｂ，４１ｃは、ブラケット基部４１ａの一方側の縁部からそれぞれほぼ直角となるように屈曲して延在した平板状部分である。
【００２２】
ブラケット基部４１ａの一方の端部に設けた取付板部（以下、第１取付板部４１ｂという）は、延在縁部がさらにブラケット基部４１ａから遠ざかる方向に向けてほぼ直角に屈曲している。ブラケット基部４１ａの他方の縁部に設けた取付板部（以下、第２取付板部４１ｃという）は、単純な平板状を成すもので、第１取付板部４１ｂとの間に隙間を確保した部分に設けてある。
【００２３】
補強板部４１ｄは、ブラケット基部４１ａの一方の端部において他方側の縁部から第１取付板部４１ｂと同じ方向にほぼ直角に屈曲して延在した平板状部分である。
【００２４】
複数の係合爪４１ｅは、ブラケット基部４１ａの他方の端部において他方側の縁部に形成したもので、背面板１０の取付孔１１に対してすべてを同時に挿通させることのできるピッチで設けてある。本実施の形態では特に、図１１に示すように、取付孔１１のピッチに対して５倍のピッチで係合爪４１ｅが３つ設けてあり、第１取付板部４１ｂが上方に位置し、かつ最上位の係合爪４１ｅを最も上方に位置する取付孔１１に挿通させた場合にブラケット基部４１ａの上端がケース本体１の天面部１Ｃよりもわずかに下方に位置するように支持ブラケット４１が構成してある。一方の支持ブラケット４１に設けた係合爪４１ｅと、他方の支持ブラケット４１に設けた係合爪４１ｅとの相互間隔は、背面板１０の両側部に設けた取付孔１１に同時に挿通可能であって、しかもラックブラケット２１に設けた取付爪２３の相互間隔よりも小さく構成してある。
【００２５】
支持部材２５は、上述したラックの支持部材２５と同一の寸法を有した断面が矩形の筒状を成すもので、それぞれの端部が個々の取付板部４１ｂ，４１ｃの一方の端部に連結してある。この吊下げユニット４０では、図３に示すように、ブラケット基部４１ａにおいて背面板１０に対向する表面と支持部材２５との間の最大隙間が、商品吊下げ具３０のフックバー３１を挿通可能、かつ取付部３２を挿通不可とする距離ｃとなるように設定してある。
【００２６】
この吊下げユニット４０は、支持ブラケット４１の最も一方側に位置する係合爪４１ｅを背面板１０に設けた最上位の取付孔１１に挿通させることにより、上方の支持部材２５が天面部１Ｃのわずかに下方となる位置に配置した状態でケース本体１に取り付けられる。この状態から最も上方に位置する取付孔１１に取付爪２３を挿通させることによってケース本体１にラック２０が配置されており、吊下げユニット４０の下方に位置する支持部材２５がラック板２２よりも下方に配置された状態となっている。
【００２７】
上記のように構成したショーケースでは、それぞれのラック２０に対してラック板２２の上面に載置させた状態でケース本体１に商品を収容することができる。この状態においては、吊下げユニット４０の支持部材２５やラック２０の支持部材２５から商品吊下げ具３０を取り外しておけば、ラック板２２の上方に大きな載置スペースを確保することができ、ラック板２２に載置させた商品と商品吊下げ具３０のフックバー３１とが干渉する事態を招来するおそれがない。支持部材２５から取り外した商品吊下げ具３０は、図４、図５及び図７に示すように、背面板１０に沿って収納することが可能である。すなわち、支持部材２５と背面板１０との間には、商品吊下げ具３０のフックバー３１を挿通可能、かつ取付部３２を挿通不可とする距離ａの隙間が確保されている。このため、この隙間にフックバー３１を挿通させれば、支持部材２５と背面板１０との間に取付部３２が係止された状態でフックバー３１が背面板１０に沿って配置された状態となり、デッドスペースに商品吊下げ具３０を収納しておくことが可能となる。
【００２８】
一方、このショーケースに対して起立性が良好でない商品を収容させる場合には、支持部材２５と背面板１０との間に収容しておいた商品吊下げ具３０を抜き出し、取付部３２を介して支持部材２５に対して装着すれば良い。すなわち、フックバー３１が前方に向けて延在するようにそれぞれの支持部材２５に対して商品吊下げ具３０を装着すれば、ラック２０を設けた状態のまま、それぞれの商品吊下げ具３０のフックバー３１に商品を吊下げた状態で収容することが可能となる。商品吊下げ具３０に吊下げられた商品は、例えばケース本体１の前面側から手前側に引き出せば、取り出すことが可能である。
【００２９】
さらに、このショーケースによれば、吊下げユニット４０を設けるようにしているため、上下の支持部材２５に商品吊下げ具３０を装着すれば、商品収容域１Ｄの上方となる部分にも商品を吊下げた状態で収容することが可能となる。特に、吊下げユニット４０の上方に設けた支持部材２５は、最上位のラック２０よりも上方に配置されるため、最上位のラック２０よりも上方の商品収容域１Ｄに商品を吊下げることが可能である。この場合、左右の支持ブラケット４１として、ブラケット基部４１ａの一方の縁部に取付板部４１ｂ，４１ｃを有したものを適用し、この取付板部４１ｂ，４１ｃに支持部材２５を設けるようにしているため、商品吊下げ具３０を通じて加えられる商品の荷重によって支持ブラケット４１が撓むような事態を招来するおそれはない。
【００３０】
さらに、このショーケースに対して起立性の良好な商品を多く収容させるには、再び商品吊下げ具３０を支持部材２５と背面板１０との間に収納すれば良い。
【００３１】
以上説明したように、このショーケースによれば、ラック板２２の下方に支持部材２５を設けるようにしているため、収容形態が異なる商品への入れ替えが生じた場合にも、ラック２０や支持部材２５を取り外すことなく、それぞれに商品を収容させることが可能となる。従って、商品の入れ替え作業が容易化する。さらに取り外した商品吊下げ具３０については、商品収容域１Ｄの内部に収納することができるため、保管上の問題を招来することもない。
【００３２】
なお、上述した実施の形態では、吊下げユニット４０によって最上位のラック２０よりも上方となる商品収容域１Ｄに商品を吊下げることが可能になるが、必ずしも吊下げユニット４０を設ける必要はない。また、最上位のラック２０よりも上方に支持部材２５を設ける場合に背面板１０に対して着脱可能となる支持ブラケット４１に支持部材２５を保持させるようにしているが、必ずしもこれに限定されず、例えば直接ネジ等の締結手段によって支持部材２５を背面板１０に取り付けるようにしても良い。さらに、上述した実施の形態では、ラックブラケット２１の相互間に係止部材２４を設けるようにしているため、商品吊下げ具３０を収納した状態でラック２０を背面板１０から取り外した状態においてもラック２０とともに商品吊下げ具３０を脱落することなく取り扱うことが可能となる。しかしながら、本発明では必ずしも係止部材２４を設ける必要はない。
【００３３】
また、上述した実施の形態では、商品吊下げ具３０のフックバー３１として一連のものを適用しているが、本発明は必ずしもこれに限定されない。例えば、図１２〜図１４に示すように、先端ロッド部と基端ロッド部とが着脱可能となるフックバーを適用することも可能である。
【００３４】
すなわち、図１２に示す変形例１のフックバー１３１では、先端ロッド部１３１ａの基端部にポリアセタールコポリマー等の摩擦係数の小さい樹脂によって成形した柱状の嵌合雄部１３２を設ける一方、基端ロッド部１３１ｂの先端面に嵌合雄部１３２を嵌合することのできる装着孔１３３を設けるようにしている。この変形例１では、嵌合雄部１３２を装着孔１３３に嵌合させることにより、先端ロッド部１３１ａと基端ロッド部１３１ｂとが着脱可能に連結された状態となる。
【００３５】
図１３に示す変形例２のフックバー２３１では、先端ロッド部２３１ａの基端部に径方向に沿ってピン２３２を配設する一方、基端ロッド部２３１ｂの先端面にピン溝２３３を有した装着孔２３４を設けるようにしている。この変形例２では、ピン２３２をピン溝２３３に合致させた状態で先端ロッド部２３１ａを装着孔２３４に嵌合させることにより、相対回転が制限された状態で先端ロッド部２３１ａと基端ロッド部２３１ｂとが着脱可能に連結された状態となる。
【００３６】
図１４に示す変形例３のフックバー３３１では、先端ロッド部３３１ａの基端部に二面幅３３２を設ける一方、基端ロッド部３３１ｂの先端部に装着孔３３４を形成し、さらに装着孔３３４の内部に互いに対向するように板バネから成る係合部材３３５を配設するようにしている。この変形例３では、先端ロッド部３３１ａの基端部を装着孔３３４に挿入すれば、先端ロッド部３３１ａの二面幅３３２に係合部材３３５が圧接された状態で先端ロッド部３３１ａと基端ロッド部３３１ｂとが着脱可能に連結された状態となる。
【００３７】
これらの変形例に示したいずれかのフックバー１３１，２３１，３３１を適用した場合には、既に収容されていた商品を先端ロッド部１３１ａ，２３１ａ，３３１ａに吊下げた状態で基端ロッド部１３１ｂ，２３１ｂ，３３１ｂとの連結状態を解除すれば、基端ロッド部１３１ｂ，２３１ｂ，３３１ｂに新たな商品を吊下げることができる。その後、両者を連結してフックバー１３１，２３１，３３１を構成すれば、既に収容されていた商品が手前側に位置した状態で新しい商品をその奥に吊下げることが可能となり、煩雑な入れ替え操作を行うことなく、既に収容されていた商品が新しい商品よりも先に引き出されることになる。
【００３８】
さらに、上述した実施の形態では、一部のラック２０にのみ支持部材２５を設けるようにしているが、ショーケースにおいて支持部材２５を備えるラック２０の数は必ずしも実施の形態のものに限らない。また、支持部材２５を備えたラック２０を装着する位置も実施の形態に限らない。
【００３９】
［付記１］
上下に延在する背面板の前面に左右方向に沿って支持部材を設けるとともに、前記支持部材から前方に向けて商品吊下げ具を配設し、前記商品吊下げ具に吊下げた商品が前記商品吊下げ具の前端部から順次引き出し可能となるショーケースであって、
前記背面板の両側部には、それぞれ上下方向に沿って複数の取付孔が並設され、
前記背面板の前方域には、前記取付孔を介して左右のラックブラケットが着脱可能に取り付けられているとともに、前記左右のラックブラケットの間にラック板を設けることによってラックが構成されており、
前記支持部材は、上下方向に沿って延在する左右の支持ブラケットの上端部間に架設されており、
前記左右の支持ブラケットのそれぞれには、少なくとも下端部に前記取付孔に係合可能となる係合爪が設けられていることを特徴とするショーケース。
【００４０】
［付記２］
前記左右の支持ブラケットには、下端部間にも支持部材が架設されていることを特徴とする付記１に記載のショーケース。
【００４１】
［付記３］
前記ラックブラケットには、前記支持ブラケットの係合爪が前記取付孔に係合された状態で当該取付孔の外側部分に係合可能となる取付爪が設けられていることを特徴とする付記１に記載のショーケース。
【符号の説明】
【００４２】
１      ケース本体
１０      背面板
１１      取付孔
２０      ラック
２１      ラックブラケット
２２      ラック板
２３      取付爪
２４      係止部材
２５      支持部材
２６      取付ブラケット
３０      商品吊下げ具
３１，１３１，２３１，３３１      フックバー
３２      取付部
４１      支持ブラケット
４１ｅ      係合爪
【図１】
2019005140.tif 000003
【図２】
2019005140.tif 000004
【図３】
2019005140.tif 000005
【図４】
2019005140.tif 000006
【図５】
2019005140.tif 000007
【図６】
2019005140.tif 000008
【図７】
2019005140.tif 000009
【図８】
2019005140.tif 000010
【図９】
2019005140.tif 000011
【図１０】
2019005140.tif 000012
【図１１】
2019005140.tif 000013
【図１２】
2019005140.tif 000014
【図１３】
2019005140.tif 000015
【図１４】
2019005140.tif 000016